(57)【特許請求の範囲】
【請求項１】
内面に鬼目プレートが貼設され、また、この鬼目プレートの両側に孔部が形成された第１の把持板と、
内面に鬼目プレートが貼設され、また、この鬼目プレートの両側に孔部が形成された第２の把持板と、
第１の把持板が配置されるようになされ、第１の把持板の両側の孔部と重なる二箇所にねじ孔が設けられたブラケットと、
第１，第２の把持板の中間にケーブルを挟み込むとともに、第１，第２の把持板の鬼目プレートをケーブルの外周面に当接させつつ把持させた状態でブラケットの二箇所のねじ孔に螺挿される１対のボルトと、
ケーブルの軸心と直交する方向となるようにケーブルの左右両側であってブラケットの底面部に形成された１対の当接部と、
これらの１対の当接部に互いに平行に形成された１対の長孔と、
これら１対の長孔にそれぞれ挿通される１対のボルトと、
を備え、２個のねじ孔およびこれら２個のねじ孔の中間にケーブルの挿通孔が形成される隔壁に対して固定されるケーブルの把持機構であって、
１対の長孔にそれぞれ挿通される１対のボルトが隔壁の２個のねじ孔に螺挿されることにより一対の当接部およびブラケットは長孔の長手方向に拘束されつつ隔壁に対してスライドするようになされ、
ケーブルを把持する第１，第２の把持板がブラケットに固定されるときにケーブルの軸心を維持しつつ隔壁に対して一対の当接部およびブラケットが移動するようにしたことを特徴とするケーブルの把持機構。
【発明の詳細な説明】
【０００１】
【発明の属する技術分野】
本発明は、光ファイバーケーブルやメタルケーブルの途中を固定する把持機構に関する。
【０００２】
【従来の技術】
従来、クロージャ等においてケーブルを固定する場合、ケーブルの外周を金具で締めつけてケーブルと金具を一体にした後、その金具を固定する方法が一般的であった。
【０００３】
【発明が解決しようとする課題】
そのため、同一の金具で径の異なるケーブルを固定しようとする場合は、金具と固定手段の位置関係がそのままであるとケーブルの軸心の位置がずれてしまい、配線や結線作業を行う場合に不便が生じるという問題があった。
【０００４】
【課題を解決するための手段】
そこで上記課題を解決するために、請求項１の発明は、
内面に鬼目プレートが貼設され、また、この鬼目プレートの両側に孔部が形成された第１の把持板と、
内面に鬼目プレートが貼設され、また、この鬼目プレートの両側に孔部が形成された第２の把持板と、
第１の把持板が配置されるようになされ、第１の把持板の両側の孔部と重なる二箇所にねじ孔が設けられたブラケットと、
第１，第２の把持板の中間にケーブルを挟み込むとともに、第１，第２の把持板の鬼目プレートをケーブルの外周面に当接させつつ把持させた状態でブラケットの二箇所のねじ孔に螺挿される１対のボルトと、
ケーブルの軸心と直交する方向となるようにケーブルの左右両側であってブラケットの底面部に形成された１対の当接部と、
これらの１対の当接部に互いに平行に形成された１対の長孔と、
これら１対の長孔にそれぞれ挿通される１対のボルトと、
を備え、２個のねじ孔およびこれら２個のねじ孔の中間にケーブルの挿通孔が形成される隔壁に対して固定されるケーブルの把持機構であって、
１対の長孔にそれぞれ挿通される１対のボルトが隔壁の２個のねじ孔に螺挿されることにより一対の当接部およびブラケットは長孔の長手方向に拘束されつつ隔壁に対してスライドするようになされ、
ケーブルを把持する第１，第２の把持板がブラケットに固定されるときにケーブルの軸心を維持しつつ隔壁に対して一対の当接部およびブラケットが移動するようにしたことを特徴とする。
【０００７】
【発明の実施の形態】
以下、図に沿って本発明の実施形態を説明する。
図１は本発明の部品構成を示す分解斜視図である。図において、１，２は把持板であり、内側に鬼目プレート３が貼設されている。なお、把持板２は請求項における把持部に相当する。把持板１，２は間にケーブルＣを挟み込んだ状態でブラケット４の上部のネジ孔５，６にボルト７，８が螺着されて固定される。ブラケット４の底面部の左右両側には、ケーブルＣの軸心と直交する方向に隔壁１５との当接部１９，２０が形成されるとともに、それぞれに互いに平行な長孔１１，１２が形成されている。なお、隔壁５は、ケーブルＣが使用される各種の通信機器や配電機器等の筺体や支持部材の一部を構成している。
【０００８】
前記長孔１１，１２の上方からボルト１３，１４が挿入されて、ボルト１３，１４は隔壁１５のネジ穴１６，１７に螺着される。
なお、ボルト１３，１４は、長孔１１，１２の上端を押圧する程、締め込まずにおいて、ブラケット４をスライド可能にしておく。隔壁１５のネジ穴１６，１７の中間部分には、ケーブルＣを挿通するための孔１８が形成されている。
【０００９】
このように構成されたことで、隔壁１５の孔１８に挿通されたケーブルＣは、把持板１，２により外周面を両方向から挟圧されて保持され、把持板１，２はボルト７，８によりブラケット４に取付けられると共に、ブラケット４はボルト１３，１４及び長孔１１，１２を介して隔壁１５に支持されるため、把持板１，２及びブラケット４は長孔１１，１２の長手方向すなわちケーブルの挟圧方向へスライド自在となる。ここで、ケーブルＣの径が増大した場合を考えると、ブラケット４を基準にすると径が増した分、把持板１が手前に移動して、ケーブルＣの軸心も手前に移動することになる。
【００１０】
しかし、ブラケット４は、長孔１１，１２で移動可能であるため、ケーブルＣの軸心の移動した分、自在に戻すことが可能であり、ケーブルＣの軸心は常に、隔壁１５の孔１８の中心に一致させることが可能となる。
なお、上述した実施形態では、把持板２とブラケット４を別々に形成しているが、これらは一体に形成することも可能である。
【００１１】
図２は、実施形態の使用状態を示した説明図である。図（a）は径の小さいケーブルを把持する場合を示し、図（b）は径の大きいケーブルを把持する場合を示す。図において、隔壁１５に固定されるボルト１３，１４を基準としてみると、図（a）の径の小さいケーブルを把持する場合は、ケーブルＣの太さに応じて把持板１が下方へ移動するとともにブラケット４が上方に移動して長孔１１，１２の下端部寄りにボルト１３，１４が位置することで、ケーブルＣの軸心がボルト１３，１４を結ぶ線上に位置することになる。
【００１２】
同様にして、図（ｂ）の径の大きいケーブルを把持する場合は、ケーブルＣの太さに応じて把持板１が上方へ移動するとともにブラケット４が下方に移動して長孔１１，１２の上端部寄りにボルト１３，１４が位置することで、ケーブルＣの軸心がボルト１３，１４を結ぶ線上に位置することになる。
このように、固定するべきケーブルＣの径が変わってもケーブルＣの軸心の位置を一定にすることができ、配線や結線の都合上、ケーブルＣの径に関わらずその軸心を常に定位置に保つ必要がある場合に効果的である。
【００１３】
次に本発明の他の実施形態について説明する。図３、図４は他の実施形態を示す斜視図である。両図において、２１，２２は把持板であり、その両端がブラケット３１，３２の内側に形成されている案内溝３３，３４に上下動自在に収納される。把持板２１，２２の内側のケーブルＣと当接する部分には、把持可能な最大径のケーブルＣと同一の曲率からなる当接面２３，２４が形成されている。当接面２３，２４には、ケーブルＣの把持効果が増すように、複数の溝２５が形成されている。把持板２１の両端部には、挿通用の孔２６が形成され、把持板２２の両端部には、ねじ孔２７が形成され、そこへボルト４１，４２が装着されることで、把持板２１，２２は、当接面２３，２４の間隔を調整自在にして支持される。なお、ボルト４１，４２、孔２６およびねじ孔２７は請求項３における連結手段を構成している。
【００１４】
このように構成されたことで、ケーブルＣを把持する場合は、ケーブルＣの通り道に、把持板２１，２２がケーブルＣの方向と直交するように、ブラケット３１，３２を図示しない基台に固定する。次いで、把持板２２を、ブラケット３１，３２の案内溝３３，３４内に挿入してから、把持板２２の当接面２４にケーブルＣを当接し、さらに、把持板２１をケーブルＣの反対側に当接させながら、ボルト４１，４２を孔２６に挿通して、ねじ孔２７にねじ込み、把持板２１，２２を締め込むことで、把持板２１，２２がケーブルＣに固定される。ここで把持板２１，２２は、その長手方向およびケーブルＣの軸心方向には、ブラケット３１，３２の案内溝３３，３４により規制されるが、上下方向については、案内溝３３，３４により、摺動自在に支持されているため自由である。そのため、ケーブルＣの径が変わってもその軸心を常に定位置に保つことができる。
【００１５】
【発明の効果】
以上述べたように請求項１記載の発明によれば、ケーブルが挿通される隔壁に対して、ケーブルを支持するブラケットが長孔でスライド自在に支持されているため、ケーブルの径が変化しても常にその軸心が隔壁の挿通孔の中心と一致する。このため、配線や結線にあたってケーブルの軸心を定位置に保つ必要がある場合に有益である。
また、把持板の内側に鬼目プレートを貼設したことで、把持板のケーブルへの喰い付きが良くなる。
【図面の簡単な説明】
【図１】本発明の実施形態を示す分解斜視図である。
【図２】実施形態の使用状態を示す説明図である。
【図３】本発明の他の実施形態を示す斜視図である。
【図４】本発明の他の実施形態を示す斜視図である。
【符号の説明】
１，２  把持板
３  鬼目プレート
４  ブラケット
５，６  ネジ孔
７，８  ボルト
１１，１２  長孔
１３，１４  ボルト
１５  隔壁
１６，１７  ネジ穴
１８  孔
１９，２０  当接部
２１，２２  把持板
２３，２４  当接面
２５  溝
２６  孔
２７  ねじ孔
３１，３２  ブラケット
３３，３４  案内溝
４１，４２  ボルト
Ｃ  ケーブル
【図１】
0004218780.tif 000002
【図２】
0004218780.tif 000003
【図３】
0004218780.tif 000004
【図４】
0004218780.tif 000005